(57)【要約】【課題】ナット締結時にボルト頭部を絶縁部材の回り止め壁部に当接させて端子ボルトの共回りを防止しながらも、絶縁部材に破損が生じるのを抑制した組電池を提供すること。【解決手段】組電池１００は、電池ケース１０と外側電極端子部材３５，４５と端子ボルト７０，８０と絶縁部材５０，６０を有する電池１を備える。絶縁部材５０，６０は、底壁部５３ａ，６３ａと回り止め壁部５３ｂ，６３ｂを有し、回り止め壁部５３ｂ，６３ｂは、ナット１３０，１４０の締結に伴って端子ボルト７０，８０が回動した場合にボルト頭部７１，８１の軸方向稜部７１ｒ，８１ｒが当接する当接壁部５３ｔ，６３ｔを含み、当接壁部５３ｔ，６３ｔは、外部側内壁面５３ｔｎｊ，６３ｔｎｊがケース側内壁面５３ｔｎｉ，６３ｔｎｉよりも径方向内側ＦＡに位置する形態とされている。【選択図】図５
2019133878.tif 000002
【特許請求の範囲】
【請求項１】
電池ケースと、
上記電池ケースの外部に配置された外側電極端子部材と、
上記電池ケースと上記外側電極端子部材との間に配置された多角柱状をなすボルト頭部、及び、上記ボルト頭部から上記外側電極端子部材を貫通して電池外部側に延びるボルト軸部を含む端子ボルトと、
絶縁性樹脂からなり、上記電池ケースと上記外側電極端子部材及び上記ボルト頭部との間に配置され、上記電池ケースと上記外側電極端子部材及び上記ボルト頭部との間を絶縁する絶縁部材と、を有する複数の電池を備え、
上記外側電極端子部材及び連結部材を貫通した上記ボルト軸部にナットを締結して、上記外側電極端子部材を上記連結部材に接続し、上記連結部材を介して上記電池同士を電気的に接続してなる
組電池であって、
上記絶縁部材は、
上記電池ケースと上記ボルト頭部との間に配置された底壁部と、
上記底壁部から上記電池外部側に延び、上記ボルト頭部の径方向周囲に位置して上記ボルト頭部の共回りを規制する回り止め壁部と、を有し、
上記回り止め壁部は、
上記ナットの締結に伴って上記端子ボルトが回動した場合に上記ボルト頭部のボルト軸線方向に延びる軸方向稜部が当接する当接壁部を含み、
上記当接壁部は、
その内壁面である当接内壁面のうち、上記電池外部側に位置する外部側内壁面が、これよりも電池ケース側に位置するケース側内壁面よりも、径方向内側に位置する形態とされた
組電池。
【発明の詳細な説明】
【技術分野】
【０００１】
本発明は、外側電極端子部材及び端子ボルトを備える複数の電池を、連結部材を介して電気的に接続してなる組電池に関する。
【背景技術】
【０００２】
電池ケースの外部に配置された外側電極端子部材と、この外側電極端子部材を電池外の連結部材に接続するための端子ボルトとを備える電池が知られている。この電池では、電池ケースと外側電極端子部材及び端子ボルトとの間に、絶縁性樹脂からなる絶縁部材を配置して、電池ケースと外側電極端子部材及び端子ボルトとの間を絶縁する。具体的には、図１０及び図１１に示すように、端子ボルト９７０は、そのボルト頭部９７１が絶縁部材９５０と外側電極端子部材９３５との間に位置すると共に、ボルト軸部９７３がボルト頭部９７１から外側電極端子部材９３５を貫通して電池外部側ＢＳ（図１１中、上方）に延びる形態で配置される。なお、図１１及び後述する図１２では、電池ケースの記載を省略してある。
【０００３】
また、外側電極端子部材９３５及び連結部材９２０を貫通した端子ボルト９７０のボルト軸部９７３にナット９３０を締結して、外側電極端子部材９３５を連結部材９２０に接続するにあたり、端子ボルト９７０がナット９３０と共回りするのを防止すべく、上述の絶縁部材９５０には、回り止め壁部９５３ｂを設ける。即ち、電池ケース（不図示）とボルト頭部９７１との間に配置された絶縁部材９５０の底壁部９５３ａから、電池外部側ＢＳに垂直に延び、ボルト頭部９７１の径方向周囲に位置してボルト頭部９７１の共回りを規制する回り止め壁部９５３ｂを、絶縁部材９５０に設ける。例えば特許文献１に、このような形態の電池が開示されている（特許文献１の特許請求の範囲、図３等を参照）。
【先行技術文献】
【特許文献】
【０００４】
【特許文献１】特開２０１６−１４３４６６号公報
【発明の概要】
【発明が解決しようとする課題】
【０００５】
しかしながら、上述の電池では、端子ボルト９７０にナット９３０を締結するにあたり、端子ボルト９７０が軸線ＥＸ周りに回動して、ボルト頭部９７１の角部（軸方向稜部９７１ｒ）が絶縁部材９５０の回り止め壁部９５３ｂに当接したときに、絶縁部材９５０が破損する場合があった。具体的には、ナット９３０の締結時にボルト頭部９７１の軸方向稜部９７１ｒが回り止め壁部９５３ｂに当接すると、それ以降は図１２に示すように、回り止め壁部９５３ｂが径方向外側ＦＢ（図１２中、左右方向）に拡がるように変形する。しかし、ナット９３０の締め付けトルクが大きいと、回り止め壁部９５３ｂの径方向外側ＦＢへの変形が変形許容量を越えて、絶縁部材９５０のうち、回り止め壁部９５３ｂと底壁部９５３ａとの境界近傍（図１２中にＷで示す部分）で割れなどの破損が生じる。
【０００６】
回り止め壁部９５３ｂは、前述のように底壁部９５３ａから電池外部側ＢＳに垂直に延びる形態であるため、回り止め壁部９５３ｂの径方向外側ＦＢへの変形許容量は、底壁部９５３ａと繋がった回り止め壁部９５３ｂの根元側（電池ケース側、図１２中、下方）ほど小さく、底壁部９５３ａから離れる電池外部側ＢＳほど大きい。上述の電池では、ナット９３０の締結時にボルト頭部９７１の軸方向稜部９７１ｒのうち先端部分９７１ｒｓ（電池ケース側、図１２中、下方の部分）が、回り止め壁部９５３ｂのうち底壁部９５３ａと繋がった根元近傍部位９５３ｂｇに当接する。このため、回り止め壁部９５３ｂの径方向外側ＦＢへの変形が変形許容量を越え易く、絶縁部材９５０に前述の破損が生じ易いと考えられた。
【０００７】
本発明は、かかる現状に鑑みてなされたものであって、ナット締結時にボルト頭部の軸方向稜部を絶縁部材の回り止め壁部に当接させて端子ボルトの共回りを防止しながらも、絶縁部材に破損が生じるのを抑制した組電池を提供することを目的とする。
【課題を解決するための手段】
【０００８】
上記課題を解決するための本発明の一態様は、電池ケースと、上記電池ケースの外部に配置された外側電極端子部材と、上記電池ケースと上記外側電極端子部材との間に配置された多角柱状をなすボルト頭部、及び、上記ボルト頭部から上記外側電極端子部材を貫通して電池外部側に延びるボルト軸部を含む端子ボルトと、絶縁性樹脂からなり、上記電池ケースと上記外側電極端子部材及び上記ボルト頭部との間に配置され、上記電池ケースと上記外側電極端子部材及び上記ボルト頭部との間を絶縁する絶縁部材と、を有する複数の電池を備え、上記外側電極端子部材及び連結部材を貫通した上記ボルト軸部にナットを締結して、上記外側電極端子部材を上記連結部材に接続し、上記連結部材を介して上記電池同士を電気的に接続してなる組電池であって、上記絶縁部材は、上記電池ケースと上記ボルト頭部との間に配置された底壁部と、上記底壁部から上記電池外部側に延び、上記ボルト頭部の径方向周囲に位置して上記ボルト頭部の共回りを規制する回り止め壁部と、を有し、上記回り止め壁部は、上記ナットの締結に伴って上記端子ボルトが回動した場合に上記ボルト頭部のボルト軸線方向に延びる軸方向稜部が当接する当接壁部を含み、上記当接壁部は、その内壁面である当接内壁面のうち、上記電池外部側に位置する外部側内壁面が、これよりも電池ケース側に位置するケース側内壁面よりも、径方向内側に位置する形態とされた組電池である。
【０００９】
上述の組電池を構成する各電池では、絶縁部材の回り止め壁部のうち当接壁部は、その外部側内壁面がケース側内壁面よりも径方向内側に位置する形態とされている。この電池では、ナット締結時に端子ボルトが回動して、ボルト頭部の軸方向稜部が絶縁部材の回り止め壁部に当接した後、ボルト頭部の軸方向稜部は、回り止め壁部の当接壁部のうち、ケース側内壁面には当接しないで、外部側内壁面のみに当接する。或いは、ボルト頭部の軸方向稜部が、まず回り止め壁部の当接壁部のうち外部側内壁面に当接し、更に回り止め壁部が径方向外側に変形すると、当接壁部のうちケース側内壁面にも当接する。
【００１０】
ナット締結時における回り止め壁部の径方向外側への変形許容量は、底壁部に近いケース側内壁面をなす部位で小さく、底壁部から離れた外部側内壁面をなす部位で大きい。このため、上述の電池では、ナット締結時にボルト頭部の軸方向稜部が最初から回り止め壁部の当接壁部のうちケース側内壁面に当接する形態の電池に比べて、ナット締結時にボルト頭部の軸方向稜部が回り止め壁部の当接壁部に当接しても、絶縁部材に破損が生じ難い。よって、ナット締結時にボルト頭部の軸方向稜部を絶縁部材の回り止め壁部に当接させて端子ボルトの共回りを防止しながらも、絶縁部材に破損が生じるのを抑制した組電池とすることができる。
【図面の簡単な説明】
【００１１】
【図１】実施形態に係る組電池の斜視図である。
【図２】実施形態に係る組電池のうち、電池の縦断面図である。
【図３】実施形態に係る組電池のうち、正極端子近傍の分解斜視図である。
【図４】実施形態に係り、正極端子等の横断面図（図５におけるＢ−Ｂ断面図）である。
【図５】実施形態に係り、正極端子等の縦断面図（図４におけるＡ−Ａ断面図）である。
【図６】実施形態に係り、ナット締結後の正極端子ボルト及び絶縁部材の様子を示す説明図である。
【図７】実施形態に係り、正極端子ボルトが傾いた状態でナットが締結された様子を示す説明図である。
【図８】変形形態１に係り、正極端子等の図４に対応した横断面図である。
【図９】変形形態２に係り、正極端子等の図５に対応した縦断面図である。
【図１０】比較形態に係り、電極端子等の横断面図（図１１におけるＤ−Ｄ断面図）である。
【図１１】比較形態に係り、電極端子等の縦断面図（図１０におけるＣ−Ｃ断面図）である。
【図１２】比較形態に係り、ナット締結後の端子ボルト及び絶縁部材の様子を示す説明図である。
【発明を実施するための形態】
【００１２】
（実施形態）
以下、本発明の実施形態を、図面を参照しつつ説明する。図１に本実施形態に係る組電池１００の斜視図を示す。また、図２に組電池１００のうち電池１の縦断面図を、図３に正極端子３０近傍の分解斜視図を示す。また、図４〜図６に電池１の正極端子３０等の横断面図及び縦断面図を示す。なお、図４及び図５は、正極端子ボルト７０にナット１３０を締結するにあたり、正極端子ボルト７０が回動して、そのボルト頭部７１が絶縁部材５０の回り止め壁部５３ｂに当接した直後の状態を示す。一方、図６は、ナット１３０の締結が完了した状態（正極端子ボルト７０が図５の状態よりも更に回動した状態）を示す。なお、以下では、電池１の縦方向ＢＨ、横方向ＣＨ及び厚み方向ＤＨを、図１及び図２に示す方向と定めて説明する。
【００１３】
組電池１００は、ハイブリッドカーやプラグインハイブリッドカー、電気自動車等の車両などに搭載されるものである。この組電池１００（図１参照）は、複数（図１の例では１０個）の角型の電池１と複数（図１の例では９個）の介在部材１１０とが、厚み方向ＤＨに交互に積層されてなる。介在部材１１０は、矩形板状で絶縁性樹脂からなる。この介在部材１１０には、電池１の縦方向ＢＨに延びる複数の凹溝１１０ｍが形成されている。これらの凹溝１１０ｍに空気などの冷却媒体を流通させることにより、各電池１を冷却する。隣り合う電池１同士は、一方の電池１の正極端子３０とこれに隣り合う他方の電池１の負極端子４０とが、矩形板状の連結部材１２０を介して接続されており、これにより、組電池１００を構成する１０個の電池１が電気的に直列に接続されている。
【００１４】
電池１（図１〜図３参照）は、角型の電池ケース１０と、この内部に収容された捲回型の電極体２０と、電池ケース１０に支持された電極端子（正極端子３０及び負極端子４０）と、これらの電極端子３０，４０を連結部材１２０に接続するための端子ボルト（正極端子ボルト７０及び負極端子ボルト８０）等から構成される。また、電池ケース１０と電極端子３０，４０及び端子ボルト７０，８０との間には、絶縁部材（正極絶縁部材５０及び負極絶縁部材６０）が配置され、これにより電池ケース１０と電極端子３０，４０及び端子ボルト７０，８０との間が絶縁されている。また、電池ケース１０内には、電解液１７が収容されており、その一部は電極体２０内に含浸されている。
【００１５】
電池ケース１０は、直方体箱状で金属（本実施形態ではアルミニウム）からなる。この電池ケース１０は、上側のみが開口した有底角筒状のケース本体部材１１と、このケース本体部材１１の開口を閉塞する形態で溶接された矩形板状のケース蓋部材１３とから構成される。ケース蓋部材１３のうち、横方向ＣＨの両端近傍には、それぞれ矩形状の貫通孔１３ｈ，１３ｈが形成されている。一方（図２中、右方）の貫通孔１３ｈには、絶縁ガスケット５９が挿通され、更にこの絶縁ガスケット５９の貫通孔５９ｈに正極端子３０が挿通されている。また、他方（図２中、左側）の貫通孔１３ｈには、絶縁ガスケット６９が挿通され、更にこの絶縁ガスケット６９の貫通孔６９ｈに負極端子４０が挿通されている。絶縁ガスケット５９，６９は、ケース蓋部材１３と電極端子３０，４０との間を絶縁すると共に、ケース蓋部材１３と電極端子３０，４０との間を液密に封止する。
【００１６】
電極体２０は、扁平状をなし、横倒しにした状態で電池ケース１０内に収容されている。この電極体２０は、帯状の正極板２１及び帯状の負極板２５を、帯状で樹脂製の多孔質膜からなる一対のセパレータ２９，２９を介して互いに重ね、軸線周りに扁平状に捲回してなる。正極板２１は、帯状のアルミニウム箔からなる正極集電箔２２を有する。この正極集電箔２２の両主面のうち、正極板２１の幅方向の一部でかつ長手方向に延びる領域上には、それぞれ正極活物質層（不図示）が帯状に形成されている。正極板２１のうち幅方向の片方の端部は、厚み方向に正極活物質層が存在せず、正極集電箔２２が厚み方向に露出した正極露出部２１ｍとなっている。この正極露出部２１ｍには、正極端子３０が溶接されている。負極板２５は、帯状の銅箔からなる負極集電箔２６を有する。この負極集電箔２６の両主面のうち、負極板２５の幅方向の一部でかつ長手方向に延びる領域上には、それぞれ負極活物質層（不図示）が帯状に形成されている。負極板２５のうち幅方向の片方の端部は、厚み方向に負極活物質層が存在せず、負極集電箔２６が厚み方向に露出した負極露出部２５ｍとなっている。この負極露出部２５ｍには、負極端子４０が溶接されている。
【００１７】
次に、電極端子（正極端子３０及び負極端子４０）について説明する（図１〜図３のほか、図４及び図５も参照）。正極端子３０と負極端子４０は、基本的に同様な構成であるが、正極端子３０はアルミニウムからなり、負極端子４０は銅からなる。正極端子３０は、電池ケース１０内で電極体２０の正極板２１の正極露出部２１ｍに接続し導通する一方、ケース蓋部材１３を貫通して電池外部まで延びる。また、負極端子４０は、電池ケース１０内で電極体２０の負極板２５の負極露出部２５ｍに接続し導通する一方、ケース蓋部材１３を貫通して電池外部まで延びる。
【００１８】
これらの電極端子３０，４０は、それぞれ内側電極端子部材３１，４１と外側電極端子部材３５，４５と端子ナット３９，４９とから構成される。内側電極端子部材３１，４１は、電池ケース１０の内部から外部に延出する。内側電極端子部材３１，４１は、本体部３１ａ，４１ａとボルト部３１ｂ，４１ｂとからなる。このうち本体部３１ａ，４１ａは、電池ケース１０内に配置されて、電極体２０（正極板２１の正極露出部２１ｍまたは負極板２５の負極露出部２５ｍ）に接続（溶接）されている。
【００１９】
また、ボルト部３１ｂ，４１ｂは、ケース蓋部材１３の貫通孔１３ｈ，１３ｈ及び絶縁部材５０，６０の貫通孔５０ｈ，６０ｈに配置された絶縁ガスケット５９，６９の貫通孔５９ｈ，６９ｈと、外側電極端子部材３５，４５の第１貫通孔３５ｈ１，４５ｈ１とを通じて、電池外部に延出する。そして、このボルト部３１ｂ，４１ｂには、端子ナット３９，４９が締結されている。これにより、内側電極端子部材３１，４１、外側電極端子部材３５，４５及び端子ナット３９，４９が接続して電極端子３０，４０が構成されると共に、電極端子３０，４０が絶縁部材５０，６０及び絶縁ガスケット５９，６９を介してケース蓋部材１３に固設される。
【００２０】
一方、外側電極端子部材３５，４５は、その全体が電池ケース１０の外部に配置されている。外側電極端子部材３５，４５は、金属板材をその厚み方向に屈曲成形したものであり、基部３５ａ，４５ａと、外部接続部３５ｃ，４５ｃと、これらの間を結ぶ中間部３５ｂ，４５ｂとを含むクランク状（Ｚ字状）をなす。このうち基部３５ａ，４５ａは、板状でケース蓋部材１３に沿って延びる。この基部３５ａ，４５ａには、前述の内側電極端子部材３１，４１のボルト部３１ｂ，４１ｂが挿通する第１貫通孔３５ｈ１，４５ｈ１が設けられている。
【００２１】
また、中間部３５ｂ，４５ｂは、基部３５ａ，４５ａの端部から屈曲して、ケース蓋部材１３から離れる方向に延びる。また、外部接続部３５ｃ，４５ｃは、電池外の連結部材１２０と接続する部位であり、板状で基部３５ａ，４５ａと平行に延びる。この外部接続部３５ｃ，４５ｃには、第２貫通孔３５ｈ２，４５ｈ２が設けられている。この第２貫通孔３５ｈ２，４５ｈ２には、端子ボルト７０，８０のボルト軸部７３，８３が挿通されると共に、ボルト頭部７１，８１がケース蓋部材１３側から係合する。
【００２２】
次に、端子ボルト（正極端子ボルト７０及び負極端子ボルト８０）について説明する（図１〜図３のほか、図４及び図５も参照）。端子ボルト７０，８０は、多角柱状（本実施形態では４角柱状）をなすボルト頭部７１，８１と、外周に雄ネジが形成されたボルト軸部７３，８３とからなる。このうちボルト頭部７１，８１は、その頂面７１ｃ，８１ｃを電池ケース側ＢＫに向けて、絶縁部材５０，６０と、電極端子３０，４０のうち外側電極端子部材３５，４５の外部接続部３５ｃ，４５ｃとの間に配置されている。一方、ボルト軸部７３，８３は、ボルト頭部７１，８１から、外側電極端子部材３５，４５を貫通して（外部接続部３５ｃ，４５ｃの第２貫通孔３５ｈ２，４５ｈ２に挿通されて）、電池外部側ＢＳ（図２、図３及び図５中、上方、縦方向ＢＨの上方）に延びる。
【００２３】
組電池１００を構成した状態において、端子ボルト７０，８０のボルト軸部７３，８３は、外側電極端子部材３５，４５を貫通し（外部接続部３５ｃ，４５ｃの第２貫通孔３５ｈ２，４５ｈ２に挿通され）、更に、連結部材１２０を貫通する（連結部材１２０の貫通孔１２０ｈに挿通される）。そして、このボルト軸部７３，８３にナット１３０，１４０が締結している。これにより、ボルト頭部７１，８１とナット１３０，１４０との間に、外側電極端子部材３５，４５の外部接続部３５ｃ，４５ｃと連結部材１２０とが挟持されて、外側電極端子部材３５，４５と連結部材１２０とが接続される。このようにして、隣り合う一方の電池１の正極端子３０と、他方の電池１の負極端子４０とが、連結部材１２０を介して電気的に直列に接続される。
【００２４】
次に、絶縁部材（正極絶縁部材５０及び負極絶縁部材６０）について説明する（図１〜図３のほか、図４及び図５も参照）。絶縁部材５０，６０は、絶縁性樹脂からなり、電池ケース１０のケース蓋部材１３と、電極端子３０，４０の外側電極端子部材３５，４５及び端子ボルト７０，８０のボルト頭部７１，８１との間に配置されて、ケース蓋部材１３と外側電極端子部材３５，４５及びボルト頭部７１，８１との間を絶縁している。これらの絶縁部材５０，６０は、回り止め凹部５３，６３と、この回り止め凹部５３，６３と一体に形成されて回り止め凹部５３，６３からケース蓋部材１３の長手方向（横方向ＣＨ）に延びる平板部５１，６１とからなる。
【００２５】
このうち平板部５１，６１は、矩形板状であり、ケース蓋部材１３と外側電極端子部材３５，４５の基部３５ａ，４５ａとの間に配置されている。平板部５１，６１には、矩形状の貫通孔５０ｈ，６０ｈが設けられている。この貫通孔５０ｈ，６０ｈには、前述のように、絶縁ガスケット５９，６９が挿通され、更に、絶縁ガスケット５９，６９の貫通孔５９ｈ，６９ｈに、内側電極端子部材３１，４１のボルト部３１ｂ，４１ｂが挿通されている。
【００２６】
回り止め凹部５３，６３は、底壁部５３ａ，６３ａと回り止め壁部５３ｂ，６３ｂとからなる。底壁部５３ａ，６３ａは、矩形板状であり、ケース蓋部材１３と端子ボルト７０，８０のボルト頭部７１，８１との間に配置されている。
また、回り止め壁部５３ｂ，６３ｂは、底壁部５３ａ，６３ａの周縁から電池外部側ＢＳに延びて、ボルト頭部７１，８１の径方向外側ＦＢに位置して、ボルト頭部７１，８１の径方向外側ＦＢを全周にわたり囲んでいる。この回り止め壁部５３ｂ，６３ｂは、上方（電池外部側ＢＳ）から見て、四角形状（口字状）をなす。
【００２７】
上方（電池外部側ＢＳ）から見て、回り止め壁部５３ｂ，６３ｂの内壁面５３ｎ，６３ｎに内接する最小の内接円Ｃｎ（図４参照）の直径を直径Ｄｎとする。一方、上方（電池外部側ＢＳ）から見て、ボルト頭部７１，８１の外周面７１ｍ，８１ｍに内接する内接円Ｃｍ１の直径を直径Ｄｍ１とする。また、ボルト頭部７１，８１の外周面７１ｍ，８１ｍに外接する外接円Ｃｍ２の直径を直径Ｄｍ２とする。
回り止め壁部５３ｂ，６３ｂとボルト頭部７１，８１とは、直径Ｄｎが直径Ｄｍ１よりも大きい関係にある（Ｄｎ＞Ｄｍ１）。これにより、ボルト頭部７１，８１を回り止め凹部５３，６３内（回り止め壁部５３ｂ，６３ｂの径方向内側ＦＡ）に挿入可能となり、回り止め壁部５３ｂ，６３ｂの内壁面５３ｎ，６３ｎと、ボルト頭部７１，８１の外周面７１ｍ，８１ｍとの間に間隙が設けられる。
【００２８】
その一方で、回り止め壁部５３ｂ，６３ｂとボルト頭部７１，８１とは、直径Ｄｎが直径Ｄｍ２よりも小さい関係にある（Ｄｎ＜Ｄｍ２）。これにより、ボルト頭部７１，８１は、回り止め凹部５３，６３内で所定角度範囲にわたり回動できるが、ボルト頭部７１，８１のうち、ボルト軸線方向ＥＨに延びる４つの軸方向稜部７１ｒ，８１ｒが、それぞれ回り止め壁部５３ｂ，６３ｂの内壁面５３ｎ，６３ｎに当接するため、ボルト頭部７１，８１の所定角度以上の回動が規制される（端子ボルト７０，８０の共回りが防止される）。
【００２９】
なお、回り止め壁部５３ｂ，６３ｂのうち、ボルト頭部７１，８１の４つの軸方向稜部７１ｒ，８１ｒが当接する部位が、それぞれ当接壁部５３ｔ，６３ｔである。また、回り止め壁部５３ｂ，６３ｂの内壁面５３ｎ，６３ｎのうち、当接壁部５３ｔ，６３ｔをなす部位を当接内壁面５３ｔｎ，６３ｔｎとする。従って、ボルト頭部７１，８１の軸方向稜部７１ｒ，８１ｒは、当接壁部５３ｔ，６３ｔの当接内壁面５３ｔｎ，６３ｔｎに当接する。
【００３０】
本実施形態の回り止め壁部５３ｂ，６３ｂの内壁面５３ｎ，６３ｎは（図４及び図５参照）、全周にわたり、電池外部側ＢＳに位置する外部側内壁面５３ｎｊ，６３ｎｊが、これよりも電池ケース側ＢＫに位置するケース側内壁面５３ｎｉ，６３ｎｉよりも、径方向内側ＦＡに位置する形態となっている。更に具体的には、回り止め壁部５３ｂ，６３ｂの内壁面５３ｎ，６３ｎは、全周にわたり、電池外部側ＢＳほど径方向内側ＦＡに位置する形態となっている。
【００３１】
このように、本実施形態の回り止め壁部５３ｂ，６３ｂは、全周にわたり、内壁面５３ｎ，６３ｎの外部側内壁面５３ｎｊ，６３ｎｊがケース側内壁面５３ｎｉ，６３ｎｉよりも径方向内側ＦＡに位置する形態となっている。このため、回り止め壁部５３ｂ，６３ｂの当接壁部５３ｔ，６３ｔにおいても、その当接内壁面５３ｔｎ，６３ｔｎのうち、外部側内壁面５３ｔｎｊ，６３ｔｎｊがケース側内壁面５３ｔｎｉ，６３ｔｎｉよりも径方向内側ＦＡに位置する形態となっている。
【００３２】
この電池１では、端子ボルト７０，８０にナット１３０，１４０を締結すると、端子ボルト７０，８０が図４において時計回りに回動して、ボルト頭部７１，８１の軸方向稜部７１ｒ，８１ｒが回り止め壁部５３ｂ，６３ｂに当接する。その際、ボルト頭部７１，８１の軸方向稜部７１ｒ，８１ｒは、まず回り止め壁部５３ｂ，６３ｂの当接壁部５３ｔ，６３ｔのうち、電池外部側ＢＳの外部側内壁面５３ｔｎｊ，６３ｔｎｊに当接する（図５参照）。その後、更にナット１３０，１４０を締め付けて端子ボルト７０，８０を回動させると、回り止め壁部５３ｂ，６３ｂが径方向外側ＦＢに変形して拡がる（図６参照）。そして、端子ボルト７０，８０が所定角度だけ回動すると、ついには、ボルト頭部７１，８１の軸方向稜部７１ｒ，８１ｒは、回り止め壁部５３ｂ，６３ｂの当接壁部５３ｔ，６３ｔのうち、外部側内壁面５３ｔｎｊ，６３ｔｎｊよりも電池ケース側ＢＫに位置するケース側内壁面５３ｔｎｉ，６３ｔｎｉにも当接する（図６参照）。即ち、ボルト頭部７１，８１の軸方向稜部７１ｒ，８１ｒが、回り止め壁部５３ｂ，６３ｂの当接壁部５３ｔ，６３ｔの当接内壁面５３ｔｎ，６３ｔｎに線接触する。
【００３３】
ナット１３０，１４０の締結時における回り止め壁部５３ｂ，６３ｂの径方向外側ＦＢへの変形許容量は、底壁部５３ａ，６３ａに近いケース側内壁面５３ｎｉ，６３ｎｉをなす部位で小さく、底壁部５３ａ，６３ａから離れた外部側内壁面５３ｎｊ，６３ｎｊをなす部位で大きい。このため、この電池１では、ナット１３０，１４０の締結時にボルト頭部７１，８１の軸方向稜部７１ｒ，８１ｒが最初から回り止め壁部５３ｂ，６３ｂの当接壁部５３ｔ，６３ｔのうちケース側内壁面５３ｔｎｉ，６３ｔｎｉに当接する形態の電池に比べて、ナット１３０，１４０の締結時にボルト頭部７１，８１の軸方向稜部７１ｒ，８１ｒが回り止め壁部５３ｂ，６３ｂの当接壁部５３ｔ，６３ｔに当接しても、絶縁部材５０，６０に破損が生じ難い。よって、ナット１３０，１４０の締結時にボルト頭部７１，８１の軸方向稜部７１ｒ，８１ｒを絶縁部材５０，６０の回り止め壁部５３ｂ，６３ｂに当接させて端子ボルト７０，８０の共回りを防止しながらも、絶縁部材５０，６０に破損が生じるのを抑制した組電池１００とすることができる。
【００３４】
ところで、端子ボルト７０，８０にナット１３０，１４０を締結したときに、端子ボルト７０，８０が傾いた状態となる場合がある（図７参照）。この場合、端子ボルト７０，８０が傾いた側（図７中、右方）では、ボルト頭部７１，８１の軸方向稜部７１ｒ，８１ｒは、回り止め壁部５３ｂ，６３ｂの当接壁部５３ｔ，６３ｔのうち、電池外部側ＢＳの外部側内壁面５３ｔｎｊ，６３ｔｎｊにのみ点接触する。
【００３５】
一方、その反対側（図７中、左方）では、ボルト頭部７１，８１の軸方向稜部７１ｒ，８１ｒは、回り止め壁部５３ｂ，６３ｂの当接壁部５３ｔ，６３ｔの当接内壁面５３ｔｎ，６３ｔｎに線接触する（外部側内壁面５３ｔｎｊ，６３ｔｎｊ及びケース側内壁面５３ｔｎｉ，６３ｔｎｉに線接触する）。
このように、本実施形態の電池１では、端子ボルト７０，８０が傾いた場合でも、ボルト頭部７１，８１の軸方向稜部７１ｒ，８１ｒが回り止め壁部５３ｂ，６３ｂの当接壁部５３ｔ，６３ｔのうち、ケース側内壁面５３ｔｎｉ，６３ｔｎｉにのみ当接することが防止される。このため、この電池１では、ナット１３０，１４０の締結時に端子ボルト７０，８０が傾いた場合でも、絶縁部材５０，６０に破損が生じ難い。
【００３６】
（変形形態１）
次いで、上記実施形態の変形形態１について説明する（図８参照）。実施形態に係る組電池１００を構成する各電池１では、絶縁部材５０，６０の回り止め壁部５３ｂ，６３ｂを、全周にわたり、内壁面５３ｎ，６３ｎのうち、外部側内壁面５３ｎｊ，６３ｎｊがケース側内壁面５３ｎｉ，６３ｎｉよりも径方向内側ＦＡに位置する形態とした（図４及び図５参照）。
【００３７】
これに対し、本変形形態１に係る組電池１０２を構成する各電池２も、絶縁部材２５０，２６０は、底壁部２５３ａ，２６３ａ、及び、内壁面２５３ｎ，２６３ｎを含む回り止め壁部２５３ｂ，２６３ｂからなる回り止め凹部２５３，２６３を有する（図８参照）。但し、本変形形態１では、回り止め壁部２５３ｂ，２６３ｂのうち４つの当接壁部２５３ｔ，２６３ｔにおいてのみ、その当接内壁面２５３ｔｎ，２６３ｔｎについて、電池外部側ＢＳの外部側内壁面２５３ｔｎｊ，２６３ｔｎｊが、これよりも電池ケース側ＢＫに位置するケース側内壁面２５３ｔｎｉ，２６３ｔｎｉよりも、径方向内側ＦＡに位置する形態となっている。
【００３８】
この電池２でも、端子ボルト７０，８０にナット１３０，１４０を締結すると、端子ボルト７０，８０が回動して、ボルト頭部７１，８１の軸方向稜部７１ｒ，８１ｒが回り止め壁部２５３ｂ，２６３ｂに当接する。その際、ボルト頭部７１，８１の軸方向稜部７１ｒ，８１ｒは、まず回り止め壁部２５３ｂ，２６３ｂの当接壁部２５３ｔ，２６３ｔのうち外部側内壁面２５３ｔｎｊ，２６３ｔｎｊに当接する。その後、更にナット１３０，１４０を締め付けて端子ボルト７０，８０を回動させると、回り止め壁部２５３ｂ，２６３ｂが径方向外側ＦＢに変形して拡がり、ついには、ボルト頭部７１，８１の軸方向稜部７１ｒ，８１ｒが、回り止め壁部２５３ｂ，２６３ｂの当接壁部２５３ｔ，２６３ｔのうちケース側内壁面２５３ｔｎｉ，２６３ｔｎｉにも当接する。
【００３９】
このため、この電池２でも、ナット１３０，１４０の締結時にボルト頭部７１，８１の軸方向稜部７１ｒ，８１ｒが最初から回り止め壁部２５３ｂ，２６３ｂの当接壁部２５３ｔ，２６３ｔのうちケース側内壁面２５３ｔｎｉ，２６３ｔｎｉに当接する形態の電池に比べて、ナット１３０，１４０の締結時にボルト頭部７１，８１の軸方向稜部７１ｒ，８１ｒが回り止め壁部２５３ｂ，２６３ｂの当接壁部２５３ｔ，２６３ｔに当接しても、絶縁部材２５０，２６０に破損が生じ難い。よって、ナット１３０，１４０の締結時にボルト頭部７１，８１の軸方向稜部７１ｒ，８１ｒを絶縁部材２５０，２６０の回り止め壁部２５３ｂ，２６３ｂに当接させて端子ボルト７０，８０の共回りを防止しながらも、絶縁部材２５０，２６０に破損が生じるのを抑制した組電池１０２とすることができる。
【００４０】
（変形形態２）
次いで、上記実施形態の変形形態２について説明する（図９参照）。実施形態に係る組電池１００を構成する各電池１では、絶縁部材５０，６０の回り止め壁部５３ｂ，６３ｂを、その内壁面５３ｎ，６３ｎが電池外部側ＢＳほど径方向内側ＦＡに位置する形態とした（図５参照）。これにより、回り止め壁部５３ｂ，６３ｂを、内壁面５３ｎ，６３ｎのうち、外部側内壁面５３ｎｊ，６３ｎｊがケース側内壁面５３ｎｉ，６３ｎｉよりも径方向内側ＦＡに位置する形態とした。
【００４１】
これに対し、本変形形態２に係る組電池１０３を構成する各電池３も、絶縁部材３５０，３６０は、底壁部３５３ａ，３６３ａ、及び、内壁面３５３ｎ，３６３ｎを含む回り止め壁部３５３ｂ，３６３ｂからなる回り止め凹部３５３，３６３を有する（図９参照）。但し、本変形形態２では、回り止め壁部３５３ｂ，３６３ｂのうち電池外部側ＢＳの部位に、径方向内側ＦＡに突出する環状凸部３５３ｆ，３６３ｆを設けた。これにより、回り止め壁部３５３ｂ，３６３ｂを、内壁面３５３ｎ，３６３ｎのうち、外部側内壁面３５３ｎｊ，３６３ｎｊがケース側内壁面３５３ｎｉ，３６３ｎｉよりも径方向内側ＦＡに位置する形態としている。
【００４２】
なお、本変形形態２の回り止め壁部３５３ｂ，３６３ｂは、全周にわたり、内壁面３５３ｎ，３６３ｎの外部側内壁面３５３ｎｊ，３６３ｎｊがケース側内壁面３５３ｎｉ，３６３ｎｉよりも径方向内側ＦＡに位置する形態となっている。このため、回り止め壁部３５３ｂ，３６３ｂの当接壁部３５３ｔ，３６３ｔにおいても、その当接内壁面３５３ｔｎ，３６３ｔｎのうち、外部側内壁面３５３ｔｎｊ，３６３ｔｎｊがケース側内壁面３５３ｔｎｉ，３６３ｔｎｉよりも径方向内側ＦＡに位置する形態となっている。
【００４３】
この電池３でも、端子ボルト７０，８０にナット１３０，１４０を締結すると、端子ボルト７０，８０が回動して、ボルト頭部７１，８１の軸方向稜部７１ｒ，８１ｒが回り止め壁部３５３ｂ，３６３ｂに当接する。その際、ボルト頭部７１，８１の軸方向稜部７１ｒ，８１ｒは、まず回り止め壁部３５３ｂ，３６３ｂの当接壁部３５３ｔ，３６３ｔのうち外部側内壁面３５３ｔｎｊ，３６３ｔｎｊに当接する。その後、更にナット１３０，１４０を締め付けて端子ボルト７０，８０を回動させると、回り止め壁部３５３ｂ，３６３ｂが径方向外側ＦＢに変形して拡がり、ついには、ボルト頭部７１，８１の軸方向稜部７１ｒ，８１ｒが、回り止め壁部３５３ｂ，３６３ｂの当接壁部３５３ｔ，３６３ｔのうちケース側内壁面３５３ｔｎｉ，３６３ｔｎｉにも当接する。
【００４４】
このため、この電池３でも、ナット１３０，１４０の締結時にボルト頭部７１，８１の軸方向稜部７１ｒ，８１ｒが最初から回り止め壁部３５３ｂ，３６３ｂの当接壁部３５３ｔ，３６３ｔのうちケース側内壁面３５３ｔｎｉ，３６３ｔｎｉに当接する形態の電池に比べて、ナット１３０，１４０の締結時にボルト頭部７１，８１の軸方向稜部７１ｒ，８１ｒが回り止め壁部３５３ｂ，３６３ｂの当接壁部３５３ｔ，３６３ｔに当接しても、絶縁部材３５０，３６０に破損が生じ難い。よって、ナット１３０，１４０の締結時にボルト頭部７１，８１の軸方向稜部７１ｒ，８１ｒを絶縁部材３５０，３６０の回り止め壁部３５３ｂ，３６３ｂに当接させて端子ボルト７０，８０の共回りを防止しながらも、絶縁部材３５０，３６０に破損が生じるのを抑制した組電池１０３とすることができる。
【００４５】
以上において、本発明を実施形態及び変形形態１，２に即して説明したが、本発明は上述の実施形態及び変形形態１，２に限定されるものではなく、その要旨を逸脱しない範囲で、適宜変更して適用できることは言うまでもない。
例えば、変形形態２では、回り止め壁部３５３ｂ，３６３ｂのうち電池外部側ＢＳの部位に、全周にわたり、径方向内側ＦＡに突出する環状凸部３５３ｆ，３６３ｆを設けたが、これに限られない。回り止め壁部３５３ｂ，３６３ｂのうち４つの当接壁部３５３ｔ，３６３ｔについてのみ、径方向内側ＦＡに突出する凸部を設けて、各当接壁部３５３ｔ，３６３ｔにおいて、電池外部側ＢＳの外部側内壁面３５３ｔｎｊ，３６３ｔｎｊが、これよりも電池ケース側ＢＫに位置するケース側内壁面３５３ｔｎｉ，３６３ｔｎｉよりも、径方向内側ＦＡに位置する形態としてもよい。
【符号の説明】
【００４６】
１，２，３  電池
１０  電池ケース
２０  電極体
３０  正極端子（電極端子）
４０  負極端子（電極端子）
３１，４１  内側電極端子部材
３５，４５  外側電極端子部材
３９，４９  端子ナット
５０，２５０，３５０  正極絶縁部材（絶縁部材）
６０，２６０，３６０  負極絶縁部材（絶縁部材）
５３，６３，２５３，２６３，３５３，３６３  回り止め凹部
５３ａ，６３ａ，２５３ａ，２６３ａ，３５３ａ，３６３ａ  底壁部
５３ｂ，６３ｂ，２５３ｂ，２６３ｂ，３５３ｂ，３６３ｂ  回り止め壁部
５３ｎ，６３ｎ，２５３ｎ，２６３ｎ，３５３ｎ，３６３ｎ  内壁面
５３ｎｉ，６３ｎｉ，３５３ｎｉ，３６３ｎｉ  （内壁面の）ケース側内壁面
５３ｎｊ，６３ｎｊ，３５３ｎｊ，３６３ｎｊ  （内壁面の）外部側内壁面
５３ｔ，６３ｔ，２５３ｔ，２６３ｔ，３５３ｔ，３６３ｔ  当接壁部
５３ｔｎ，６３ｔｎ，２５３ｔｎ，２６３ｔｎ，３５３ｔｎ，３６３ｔｎ  当接内壁面
５３ｔｎｉ，６３ｔｎｉ，２５３ｔｎｉ，２６３ｔｎｉ，３５３ｔｎｉ，３６３ｔｎｉ  （当接内壁面の）ケース側内壁面
５３ｔｎｊ，６３ｔｎｊ，２５３ｔｎｊ，２６３ｔｎｊ，３５３ｔｎｊ，３６３ｔｎｊ（当接内壁面の）外部側内壁面
７０  正極端子ボルト（端子ボルト）
８０  負極端子ボルト（端子ボルト）
７１，８１  ボルト頭部
７１ｒ  ８１ｒ  軸方向稜部
７３，８３  ボルト軸部
１００，１０２，１０３  組電池
１２０  連結部材
１３０，１４０  ナット
ＢＳ  電池外部側
ＢＫ  電池ケース側
ＥＨ  ボルト軸線方向
ＦＡ  径方向内側
ＦＢ  径方向外側
【図１】
2019133878.tif 000003
【図２】
2019133878.tif 000004
【図３】
2019133878.tif 000005
【図４】
2019133878.tif 000006
【図５】
2019133878.tif 000007
【図６】
2019133878.tif 000008
【図７】
2019133878.tif 000009
【図８】
2019133878.tif 000010
【図９】
2019133878.tif 000011
【図１０】
2019133878.tif 000012
【図１１】
2019133878.tif 000013
【図１２】
2019133878.tif 000014